(57)【特許請求の範囲】
【請求項１】
浴室内の空気を加熱しながら循環すると共に、浴室内の空気を屋外に換気する機能を有する浴室換気乾燥機により浴室内の衣類を乾燥する方法において、
乾燥初めから終わりまで一定の循環風量とし、
乾燥前半には浴室内の空気を加熱せずに循環すると共に換気風量を多くし、乾燥後半には浴室内の空気を加熱して循環すると共に、換気風量を少なくして衣類を乾燥するようにしたことを特徴とする浴室換気乾燥機による衣類乾燥方法。
【請求項２】
乾燥運転直後の浴室内湿度と浴室外湿度の湿度差と、乾燥運転中の浴室内湿度と浴室外湿度の湿度差との割合が所定の値となった時に浴室内の空気を加熱して循環すると共に、換気風量を少なくするようにした請求項１記載の浴室換気乾燥機による衣類乾燥方法。
【請求項３】
浴室内の空気を加熱しながら循環すると共に、浴室内の空気を屋外に換気する機能を有する浴室換気乾燥機と、
この浴室換気乾燥機を運転動作制御する制御部と、
浴室内湿度を検出する手段と、
浴室外湿度を検出する手段と、
乾燥動作信号を出力する手段とを備え、
前記制御部は、乾燥動作信号が入力されると浴室換気乾燥機を、乾燥初めから終わりまで一定の循環風量として浴室内の空気を加熱せずに循環すると共に、換気風量を多くして運転動作し、運転動作直後の浴室内湿度と浴室外湿度の湿度差と乾燥運転中の浴室内湿度と浴室外湿度の湿度差との割合が所定の値となった時に浴室内の空気を加熱して循環すると共に、換気風量を少なくして運転動作するものとした浴室換気乾燥機による衣類乾燥制御装置。
【発明の詳細な説明】
【０００１】
【発明の属する技術分野】
本発明は、浴室内を換気したり、浴室内を乾燥する浴室換気乾燥機により浴室内の衣類を乾燥する方法及び制御装置に関する。
【０００２】
【従来の技術】
浴室換気乾燥機としては種々のものが知られている。例えば、実開昭５９−１８６７３７号公報に示す浴室換気乾燥機が知られている。具体的には浴室内の空気を吸い込んで浴室内に吐出して浴室内の空気を循環する循環用送風機と、この循環用送風機の吐出風路に設けたヒータと、浴室内の空気を吸い込んで屋外に排出して浴室内を換気する換気用送風機を備えた浴室換気乾燥機である。
【０００３】
前述の浴室換気乾燥機は、浴室内の換気、浴室内の乾燥、浴室内の暖房、浴室内への涼風送り込みの４つの機能を有する。例えば循環用送風機で浴室内の空気を循環すると共に、ヒータに通電して発熱することで浴室内に吐出する空気を加熱し、これと同時に換気用送風機によって浴室内の空気の一部を屋外に排出して換気することで浴室内を乾燥する。
【０００４】
前述のようにして浴室内を乾燥することにより、浴室内が乾燥室となるので、衣類などを乾燥することができる。
このように、浴室に浴室換気乾燥機を設置すれば、浴室を使用していない時間帯、例えば家族全員が浴室の使用が終了した夜から翌朝までの間、または家族の主要メンバーが出勤、登校、外出している昼の時間帯は浴室を乾燥室として使用できる利点がある。
【０００５】
また、浴室を乾燥室として使用して衣類を乾燥する場合には衣類をハンガーなどに吊り下げて乾燥できるから、一般に普及しているドラム式の衣類乾燥機に比べて乾燥した衣類にしわが生じないという利点もあった。
【０００６】
【発明が解決しようとする課題】
浴室換気乾燥機によって浴室内を乾燥するには、循環用送風機、換気用送風機を所定時間駆動すると同時にヒータに通電して浴室内の空気をヒータで加熱して循環すると共に、浴室内の空気の一部を屋外に排出することで浴室内全体を乾燥している。
【０００７】
このようであるから、浴室換気乾燥機によって浴室を乾燥して衣類を乾燥する場合の消費電力は、前述のドラム式の衣類乾燥機によって衣類を乾燥する場合の消費電力に比べて非常に多く、浴室換気乾燥機によって衣類を乾燥することは消費電力の点で不利であった。
【０００８】
そこで、本発明は浴室換気乾燥機によって衣類を乾燥する際の消費電力を少なくできるようにした浴室換気乾燥機による衣類乾燥方法及びその装置を提供することを目的とする。
【０００９】
【課題を解決するための手段】
本発明者は、消費電力を少なくして衣類を乾燥するという点に着目して種々研究・実験した結果、前述のように浴室を乾燥室として利用できる時間帯が、家族全員が浴室の使用を終了した夜から翌朝までの間、又は家族の主要メンバーが出勤、登校、外出している昼などであり、その浴室を乾燥室として利用できる時間が通常８時間以上確保できることを見い出した。
【００１０】
このように、浴室を８時間以上乾燥室として利用できるということは、最低でも８時間経過するまでの間に衣類が乾燥すれば良い訳であり、このことに基づいて発明者が鋭意研究・実験した結果、本発明に至った。
【００１１】
本発明は、浴室内の空気を加熱しながら循環すると共に、浴室内の空気を屋外に換気する機能を有する浴室換気乾燥機により浴室内の衣類を乾燥する方法において、
乾燥初めから終わりまで一定の循環風量とし、
乾燥前半には浴室内の空気を加熱せずに循環すると共に換気風量を多くし、乾燥後半には浴室内の空気を加熱して循環すると共に、換気風量を少なくして衣類を乾燥するようにしたことを特徴とする浴室換気乾燥機による衣類乾燥方法である。
【００１２】
【作    用】
本発明の衣類乾燥方法によれば、浴室内を利用しない時間帯を有効利用して浴室換気乾燥機で衣類を乾燥できるし、その消費電力が少なく経済的である。
【００１３】
本発明は、浴室内の空気を加熱しながら循環すると共に、浴室内の空気を屋外に換気する機能を有する浴室換気乾燥機と、
この浴室換気乾燥機を運転動作制御する制御部と、
浴室内湿度を検出する手段と、
浴室外湿度を検出する手段と、
乾燥動作信号を出力する手段とを備え、
前記制御部は、乾燥動作信号が入力されると浴室換気乾燥機を、乾燥初めから終わりまで一定の循環風量として浴室内の空気を加熱せずに循環すると共に、換気風量を多くして運転動作し、運転動作直後の浴室内湿度と浴室外湿度の湿度差と乾燥運転中の浴室内湿度と浴室外湿度の湿度差との割合が所定の値となった時に浴室内の空気を加熱して循環すると共に、換気風量を少なくして運転動作するものとした浴室換気乾燥機による衣類乾燥制御装置である。
【００１４】
【作    用】
本発明の衣類乾燥制御装置によれば、乾燥動作信号を出力する手段を操作するだけで自動的に運転制御して衣類を乾燥できる。
【００１５】
【発明の実施の形態】
図１に示す実験設備により衣類乾燥実験を行なった。
図１に示す実験設備は、空調された人工気象室１内にユニットバス２を設置し、このユニットバス２の天井３に浴室換気乾燥機４を取付け、ユニットバス２の内壁５に横棒６を電気式荷重計７を介して取付けたものである。そしてこの横棒６に乾燥する衣類８をハンガー９で吊り下げる。
【００１６】
前記浴室換気乾燥機４は、ハウジング１０内にヒータ１１を備えた循環風路１２と排気風路１３を形成し、その循環風路１２に循環用送風機１４を設け、排気風路１３に排気用送風機１５を設けてある。
【００１７】
前記循環用送風機１４、排気用送風機１５は電動モータ１６でシロッコファン１７を回転駆動するものである。排気風路１３の吐出口はダクト１８で人工気象室１内に開口している。
【００１８】
前記人工気象室１は温度２０℃、湿度６０％とする。
ユニットバス２の広さは１．２５坪。
乾燥する衣類８は乾燥重量５．０ｋｇの衣類を２０℃の水に浸漬し、５分間遠心脱水したものである。
各電動モータ１６はコンデンサ誘導電動モータであり、強、中、弱の３段階に切換えできる。
各シロッコファン１７は電動モータ１６を強運転すると風量が２００ｍ3 ／ｈ、中運転すると１００ｍ3 ／ｈ、弱運転すると５０ｍ3 ／ｈとなる。
【００１９】
（実験例）
前述の各条件により下記のようにして衣類８を乾燥した。
循環用送風機１４の電動モータ１６を衣類乾燥の初めから終りまで強運転して循環風量を２００ｍ3 ／ｈとした。
ヒータ１１には衣類乾燥の初めから６時間経過するまで（前半）は通電せずに６時間経過後（後半）に１３００Ｗの電力を通電して発熱させた。
換気用送風機１５の電動モータ１６を衣類乾燥の前半（６時間経過するまで）には強運転して換気風量を２００ｍ3 ／ｈとし、後半（６時間経過後）には弱運転して換気風量を５０ｍ3 ／ｈとした。
【００２０】
前述のようにして衣類を乾燥しながら浴室外温度、循環吸込温度、循環吸込湿度、浴室外湿度、循環吹出温度を時間の経過とともに測定すると共に、積算電力を測定し、さらに電気式荷重計７の検出電圧を測定したところ図２のようになった。
【００２１】
（比較例１）
前述の各条件により下記のようにして衣類８を乾燥した。
循環用送風機１４の電動モータ１６を衣類乾燥の初めから終りまで強運転して循環風量を２００ｍ3 ／ｈとした。
ヒータ１１には１３００Ｗの電力を通電して発熱させた。
換気用送風機１５の電動モータ１６を衣類乾燥の前半には強運転して換気風量を２００ｍ3 ／ｈとし、後半には弱運転して換気風量を５０ｍ3 ／ｈとした。
【００２２】
前述のようにして衣類を乾燥しながら浴室外温度、循環吸込温度、循環吸込湿度、浴室外湿度、循環吹出温度を時間の経過とともに測定すると共に、積算電力を測定し、さらに電気式荷重計７の検出電圧を測定したところ図３のようになった。
【００２３】
（比較例２）
前述のような各条件により下記のようにして衣類８を乾燥した。
循環用送風機１４の電動モータ１６を衣類乾燥の初めから終りまで強運転して循環風量を２００ｍ3 ／ｈとした。
ヒータ１１には１３００Ｗの電力を通電して発熱させた。
換気用送風機１５の電動モータ１６を衣類乾燥の初めから終りまで強運転して換気風量を２００ｍ3 ／ｈとした。
【００２４】
前述のようにして衣類を乾燥しながら浴室外温度、循環吸込温度、循環吸込湿度、浴室外湿度、循環吹出温度を時間の経過とともに測定すると共に、積算電力を測定し、さらに電気式荷重計７の検出電圧を測定したところ図４のようになった。
【００２５】
（比較例３）
前述のような各条件により下記のようにして衣類８を乾燥した。
循環用送風機１４の電動モータ１６を衣類乾燥の初めから終りまで強運転して循環風量を２００ｍ3 ／ｈとした。
ヒータ１１には１３００Ｗの電力を通電して発熱させた。
換気用送風機１５の電動モータ１６を衣類乾燥の初めから終りまで中運転して換気風量を１００ｍ3 ／ｈとした。
【００２６】
前述のようにして衣類を乾燥しながら浴室外温度、循環吸込温度、循環吸込湿度、浴室外湿度、循環吹出温度を時間の経過とともに測定すると共に、積算電力を測定し、さらに電気式荷重計７の検出電圧を測定したところ図５のようになった。
【００２７】
（比較例４）
前述のような各条件により下記のようにして衣類８を乾燥した。
循環用送風機１４の電動モータ１６を衣類乾燥の初めから終りまで強運転して循環風量を２００ｍ3 ／ｈとした。
ヒータ１１には１３００Ｗの電力を通電して発熱させた。
換気用送風機１５の電動モータ１６を衣類乾燥の初めから終りまで弱運転して換気風量を５０ｍ3 ／ｈとした。
【００２８】
前述のようにして衣類を乾燥しながら浴室外温度、循環吸込温度、循環吸込湿度、浴室外湿度、循環吹出温度を時間の経過とともに測定すると共に、積算電力を測定し、さらに電気式荷重計７の検出電圧を測定したところ図６のようになった。
【００２９】
このことから、衣類を乾燥する時間は実験例の場合には７時間１８分、比較例１の場合には３時間４３分、比較例２の場合には４時間５５分、比較例３の場合には４時間３５分、比較例４の場合には４時間２５分となった。
【００３０】
また、積算電力（ＷＨ）は実験例の場合には２００４、比較例１の場合には４８７８、比較例２の場合には６４７５、比較例３の場合には５９３４、比較例４の場合には５５９７となった。
【００３１】
以上のことをまとめると下記の表となる。
【００３２】
【表１】
0003817702.tif 000002
【００３３】
以上の結果から、乾燥前半にはヒータに通電せずに乾燥後半にヒータに通電し、乾燥前半に換気風量を多くし、乾燥後半に換気風量を少なくし、乾燥初めから終りまで一定の循環風量として乾燥することで、積算電力（消費電力）が少なくなることが判明した。なお、ドラム式の衣類乾燥機の積算電力は２４００ＷＨ程度であり、前述の実験例によればドラム式の衣類乾燥機の積算電力よりも少なくなる。
【００３４】
以上のことから、乾燥の初めにはヒータに通電せずに、時間の経過と共に定格の１／３、定格の２／３，定格と段階的にヒータに通電しても積算電力が少なくなることが推察される。
【００３５】
次に浴室換気乾燥機を制御する装置の一例を説明する。
図７に示すように、浴室２０の天井２１に浴室換気乾燥機４が取付けてある。浴室２０の出入口２２は扉２３で開閉され、その扉２３にはガラリなどの浴室への空気入口２４が形成してある。前記浴室２０の出入口２２における浴室外部側に操作パネル２５が取付けてある。
【００３６】
前記浴室換気乾燥機４は図８に示すように浴室の天井２１の取付角材２６に取付けた本体２７に循環用吸気口２８、吹出口２９、換気用吸気口３０、換気口３１を形成し、その本体２７に循環用送風機３２、換気用送風機３３、ヒータ３４を設けてある。
【００３７】
かかる浴室換気乾燥機であれば、換気用送風機３３を駆動することで浴室内の空気を換気用吸気口３０から吸い込んで換気口３１より外部に排出して浴室内を換気できる。
【００３８】
また、循環用送風機３２を駆動すると共に、ヒータ３４に通電して発熱すれば浴室内の空気をヒータ３４で加温して浴室内に吹き出して浴室内を暖房できる。
【００３９】
また、循環用送風機３２、換気用送風機３３をそれぞれ駆動すると共に、ヒータ３４に通電して発熱すれば、浴室内の空気を加温して循環できると共に、浴室内の高湿度の空気を外部に排出して浴室内を乾燥できる。
また循環用送風機３２、換気用送風機３３をそれぞれ駆動すれば、浴室内の空気を循環できるし、浴室内に涼風を送ることができる。
【００４０】
前記本体２７には制御部４０が設けてある。この制御部４０には浴室内センサ４１より浴室内湿度（循環吸込湿度）が入力されると共に、図７に示すように前記操作パネル２５に設けた浴室外センサ４２より浴室外湿度が入力され、さらに操作パネル２５の各スイッチより複数の運転信号が入力される。
【００４１】
前記操作パネル２５には図９に示すように、換気スイッチ４３、暖房スイッチ４４、省エネ乾燥スイッチ４５、通常乾燥スイッチ４６、涼風スイッチ４７、停止スイッチ４８、タイマー４９等が設けてある。
【００４２】
前記省エネ乾燥スイッチ４５を操作して制御部４０に省エネ乾燥信号を入力すると、制御部４０は省エネ乾燥運転モードとなる。この時、タイマー４９によって浴室換気乾燥機の後半（ヒータ通電運転）の運転時間を制御部４０に入力する。
【００４３】
制御部４０が省エネ乾燥運転モードとなると、まず循環用送風機３２、換気用送風機３３の電動モータに定格電流を流して定格駆動する。これにより、浴室内の空気が循環すると共に、浴室内の空気が屋外に排出される。
【００４４】
制御部４０は、これと同時に浴室内センサ４１から入力される浴室内湿度と浴室外センサ４２から入力される浴室外湿度との差を演算して運転直後の湿度差として記憶する。
【００４５】
この後、制御部４０は運転中に継続して浴室内湿度と浴室外湿度との湿度差を演算し、その演算した現在の湿度差と前記記憶した運転直後の湿度差とを比較し、その比較値（現在の湿度差／運転直後の湿度差）が所定の値（０．４〜０．７）となった時点で乾燥運転前半終了と判定する。
【００４６】
例えば、前述の実験例によれば運転直後の浴室内湿度は８６％、浴室外湿度は６０％であるから、運転直後の湿度差は２６％である。６時間経過後の浴室内湿度は７１％、浴室外湿度は６０％であるから、その時の現在の湿度差は１１％である。比較値は１１％を２６％で除算した値であるから０．４２となる。
【００４７】
制御部４０が乾燥運転前半終了と判断したら、ヒータ３４に通電して発熱すると共に、換気用送風機３３の電動モータを弱運転に切換えて換気風量を定格の１／４程度とする。
【００４８】
そして、ヒータ通電運転開始からタイマー４９で設定した時間が経過したら制御部４０は乾燥運転終了と判断して循環用送風機３２、換気用送風機３３、ヒータ３４への通電を止める。
【００４９】
通常乾燥スイッチ４６を操作して制御部４０に通常乾燥信号を入力すると、制御部４０は通常乾燥運転モードとなる。これにより、浴室内湿度、浴室外湿度に関係なくタイマー４９で設定した時間だけヒータに通電して乾燥動作する。
【００５０】
なお、換気スイッチ４３、暖房スイッチ４４、涼風スイッチ４７を操作して制御部４０を換気運転モード、暖房運転モード、涼風運転モードとした場合には従来と同様に動作する。また、停止スイッチ４８を操作した時には各運転モードが停止する。
【００５１】
以上の実施例では循環用送風機と換気用送風機を備えた浴室換気乾燥機について説明したが、１つの送風機と、その吐出空気を吹出口と換気口とに送風制御するダンパを備えた浴室換気乾燥機の場合には、そのダンパを切換作動して換気風量を変更すれば良い。
【００５２】
【発明の効果】
第１の発明によれば、浴室内を利用しない時間帯を有効利用して浴室換気乾燥機で衣類を乾燥できるし、その消費電力が少なく経済的である。
【００５３】
第２の発明によれば、浴室内湿度と浴室外湿度との湿度差によって乾燥前半と乾燥後半を判断するから、自動的に浴室内の空気を加熱できるし、換気風量を少なくできる。
【００５４】
第３の発明によれば、乾燥動作信号を出力する手段を操作するだけで自動的に運転制御して衣類を乾燥できる。
【図面の簡単な説明】
【図１】実験設備の説明図である。
【図２】乾燥動作中の各部の温度、湿度、積算電力、荷重を示す図表である。
【図３】乾燥動作中の各部の温度、湿度、積算電力、荷重を示す図表である。
【図４】乾燥動作中の各部の温度、湿度、積算電力、荷重を示す図表である。
【図５】乾燥動作中の各部の温度、湿度、積算電力、荷重を示す図表である。
【図６】乾燥動作中の各部の温度、湿度、積算電力、荷重を示す図表である。
【図７】制御装置の一例を示す全体斜視図である。
【図８】浴室換気乾燥機の断面図である。
【図９】制御回路図である。
【符号の説明】
４…浴室換気乾燥機、３２…循環用送風機、３３…換気用送風機、３４…ヒータ、４０…制御部、４１…浴室内センサ、４２…浴室外センサ。
【図１】
0003817702.tif 000003
【図２】
0003817702.tif 000004
【図３】
0003817702.tif 000005
【図４】
0003817702.tif 000006
【図５】
0003817702.tif 000007
【図６】
0003817702.tif 000008
【図７】
0003817702.tif 000009
【図８】
0003817702.tif 000010
【図９】
0003817702.tif 000011